(57)【要約】【課題】  複数の工具を用いて作業を行うときに、工具の取り換え頻度の減少し、狭い空間での作業が行え、接着強度を向上する電動工具を提供する。【解決手段】  ハウジング１２内に内蔵されたモーター２の出力軸３と同一方向に延びる第１のスピンドル８とその第１スピンドルと直交方向に延びる第２のスピンドル１４とを備え、第１のスピンドル８、第２のスピンドル１４は前記モーター２により駆動回転される。【選択図】図１
2012131013.tif 000002
【特許請求の範囲】
【請求項１】
ハウジング内に内蔵されたモーターの出力軸と同一方向に延びる第１のスピンドルと、その第１のスピンドルと直交方向に延びる第２のスピンドルとを備え、第１、第２のスピンドルは前記モーターにより駆動回転される電動工具。
【発明の詳細な説明】
【技術分野】
【０００１】  本発明は、モーターを動力源とし、例えば、ボルトやナットなどの締緩作業やドリルなどに使用する電動工具に関する。
【背景技術】
【０００２】  電動工具は、ネジやボルト、ナットなどを締め付けたり緩めたりする作業によく使われており、小型軽量化の開発が進められている。従来の電動工具は、ドライバービットなどの工具を装着するスピンドルが前方に１つ設けられており、その一ヵ所でのみ作業が行える。（特許文献１参照）
また、特許文献２のように前後二方向にスピンドルを設けた電動工具もある。
【先行技術文献】
【特許文献】
【０００３】
【特許文献１】特開２０１０−８２７６３号
【特許文献２】実用新案登録第３１５５６５４号
【発明の概要】
【発明が解決しようとする課題】
【０００４】  従来のように、工具が先端の一ヵ所にのみ取り付けられる電動工具では、複数の工具を用い作業を行う際に、その用途に合わせて工具を取り換えながら行わなければならず、作業効率が低下するという問題点がある。
また、締緩作業などを行う際に対象物付近の空間が狭い場合、従来の電動工具では、電動工具の後方部が邪魔になり対象物に対して垂直に作業を行うことができず、やむをえず斜めにネジをねじ込むことで板の接着などでの強度が落ちるという問題点もある。【０００５】  特許文献２においては、従来の電動工具と同様に狭い空間での作業に不向きな点と出力軸に対して直交方向の使用が不可能という問題点がある。また、スピンドルが前方のみならず、後方にも設けてられているため作業者の体や衣服を傷つけてしまう恐れがあり、安全性にも問題がある。【０００６】  解決しようとする問題点は、複数の工具を用いて作業を行うときに作業効率が低下するという点と、狭い空間で対象物に対して垂直の作業が行えず、対象物の接着において強度が落ちるという点である。
【課題を解決するための手段】
【０００７】  本発明は、工具の取り換え頻度を減らすために工具取付口を前方のみならず側面にも設けることによって、側面での工具装着、使用することができることを最も主要な特徴とする。
本発明は、ハウジング１２内に内蔵されたモーター２の出力軸３と同一方向に延びる第１のスピンドル８とその第１スピンドルと直交方向に延びる第２のスピンドル１４とを備え、第１のスピンドル８、第２のスピンドル１４は前記モーター２により駆動回転される電動工具である。
【発明の効果】
【０００８】  本発明における電動工具１は、工具取付口９と工具取付口１３がハウジング（本体）１２側面に設けられているので、前方向のみならず、左右にも工具を取り付けることができる。これにより単一の本体を用いて複数の工具を使用できるため、工具の取り換え頻度を減少できるので作業効率の向上が達成できる。【０００９】  また、ハウジング（本体）１２の側面を使い作業ができるため、従来の電動工具より狭い空間での作業が可能となり、今まで対象物に対してネジなどを垂直にねじ込めなかった場所でもねじ込めるようになり接着強度の向上が達成できる。【００１０】  本体側面の工具取付口９と工具取付口１３は、工具の取り外しが可能なので不要時には工具を装着せずに作業を行える。そのため、チャック１０のみを使う場合に工具取付口９と工具取付口１３が作業を妨害することはない。また、本発明の電動工具は、前記特許文献２のようにスピンドルは作業者側には設けていないため、より安全に作業を行うことができ、安全性の向上も達成できる。
【図面の簡単な説明】
【００１１】
【図１】本発明の第１の実施例の構成を示す平面断面図である。
【図２】本発明の第１の実施例の構成を示す側面断面図である。
【図３】本発明の第１の実施例の構成を示す正面図である。
【発明を実施するための形態】
【００１２】  図１、図２、図３は、本発明の第１の実施例に関わる電動工具の構成を示す。本実施例において電動工具は、モーター２の回転を各スピンドルに伝える電動工具１である。このことについて例示する。
【００１３】  本発明の電動工具１は、ドリルとして、又ドライバーとして用いることができる。図１、図２、図３に示すように電動工具１は、例えば、角筒状でプラスチック製のハウジング１２を有している。ハウジング１２内には電動のモーター２が収納されている。ハウジング１２には、図示していないがハンドル部が形成されている。モーター２の出力軸３はモーター２の本体の一端より突出している。出力軸３の先端にはギア６が形成されており、ギア６に噛み合うギア４が設けられている。ギア４は、第１のスピンドル８の後端部に固定されている。第１のスピンドル８は、前記出力軸３と同一方向でこれと平行に延びている。また、第１のスピンドル８は、出力軸３と偏心した位置においてハウジング１２の軸受などにより回転自在に支持されている。第１のスピンドル８の先端にはチャック１０が取り付けられ、このチャック１０によりドリルビットまたは、ドライバービットなどの工具を自在に取り付けることができる。
一方、第１のスピンドル８の後端には、前記ギア４から離れた位置に第１傘歯ギア５が固定され、第１傘歯ギア５と噛み合うように第２傘歯ギア７が設けられている。第２傘歯ギア７は、第２のスピンドル１４の中間位置に固定されている。この第２のスピンドル１４は、第１のスピンドル８と直交する方向に延びており、ハウジング１２の軸受などにより回転自在に支持されており、この第２のスピンドルの先端の一方側は工具取付口９、他方側は工具取付口１３となっている。各工具取付口には、所望のドリル、ドライバービット（１１ａ、１１ｂ）などが取り付け可能である。なお、各工具取付口は、ハウジング１２の外側にほぼ同じ、もしくは、わずかに引っ込んだ位置に配置されている。例えば、各工具取付口にドリルを取り付けた場合、ドリルの先端はハウジング１２の外面から所定の長さだけ突出することになる。また、第２のスピンドルの工具取付口は一方側、あるいは他方側の一ヵ所のみでもよい。
【００１４】  ハンドル部に設けたレバー（スイッチ）をＯＮにすると、モーター２が駆動する。よってモーター２の出力軸３の回転は、ギア６、ギア４、第１のスピンドル８。この順序で力が伝達しそれぞれが回転する。同時に第１傘歯ギア５、第２傘歯ギア７も回転し、第２のスピンドル１４も回転する。
【００１５】  本発明に関わる電動工具１は、ハウジング（本体）の先端のみならず両側面にも工具取付口が設けられているため、工具を側面にも装着することができる。したがって、先端に装着した工具と合わせると複数の工具の装着が可能となり工具の取り換え頻度の減少が可能となる。例えば、先端のチャック１０にドリルビットを装着し、工具取付口９にプラスドライバービット、工具取付口１３にマイナスドライバービットをそれぞれ装着すると工具の取り換えをせずに３種類の作業が行え、作業効率が向上する。
【００１６】  また、第１のスピンドルでは、作業が不可能であった狭い空間の場合でも、第２のスピンドル１４が備わっていることにより電動工具１の側面で作業が行える。例えば、第１のスピンドル８の軸方向に対して直交方向のわずかな隙間で作業を行いたい場合は、工具取付口９にネジ締め用のドライバービットを装着し、チャック１０と工具取付口１３からは工具を取り外して使用する。
さらに、互いに噛み合うギア比及び傘歯ギア比は任意とする。
【符号の説明】
【００１７】１                電動工具
２                モーター
３                出力軸
４                ギア
５                第１傘歯ギア
６                ギア
７                第２傘歯ギア
８                第１のスピンドル
９                工具取付口
１０              チャック
１１ａ、１１ｂ    工具
１２              ハウジング
１３              工具取付口
１４              第２のスピンドル
【図１】
2012131013.tif 000003
【図２】
2012131013.tif 000004
【図３】
2012131013.tif 000005